Podtech/llm-jp-corpus-v4-ja_patent huggingface dataset:
【手続補正書】
【提出日】平成22年8月9日(2010.8.9)
【手続補正１】
【補正対象書類名】明細書
【補正対象項目名】発明の名称
【補正方法】変更
【補正の内容】
【発明の名称】基地局及び受信方法
【手続補正２】
【補正対象書類名】明細書
【補正対象項目名】０００７
【補正方法】変更
【補正の内容】
【０００７】
一実施例では基地局が使用される。本基地局は、
所定の帯域の中で一定間隔に並んだ複数の周波数成分へマッピングされたパイロットチャネルが含まれた送信信号を移動局から受信する受信部と、
前記受信部において受信した送信信号を処理する処理部とを備え、
前記受信部において受信した送信信号では、当該送信信号に含まれるパイロットチャネルと、別の移動局の送信信号に含まれるパイロットチャネルとが周波数軸上で直交するように、前記パイロットチャネルが前記複数の周波数成分へマッピングされていることを特徴とする基地局である。
【手続補正３】
【補正対象書類名】明細書
【補正対象項目名】０００８
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
所定の帯域の中で一定間隔に並んだ複数の周波数成分へマッピングされたパイロットチャネルが含まれた送信信号を移動局から受信する受信部と、
前記受信部において受信した送信信号を処理する処理部とを備え、
前記受信部において受信した送信信号では、当該送信信号に含まれるパイロットチャネルと、別の移動局の送信信号に含まれるパイロットチャネルとが周波数軸上で直交するように、前記パイロットチャネルが前記複数の周波数成分へマッピングされていることを特徴とする基地局。
【請求項２】
前記受信部において受信した送信信号に含まれたパイロットチャネルは、カザック符号より生成されていることを特徴とする請求項１に記載の基地局。
【請求項３】
前記受信部において受信した送信信号に含まれたパイロットチャネルでは、パイロットチャネルに使用されるカザック符号が循環的に所定長だけシフトされていることを特徴とする請求項１または２に記載の基地局。
【請求項４】
前記受信部において受信した送信信号に含まれたパイロットチャネルでは、移動局ごとに異なったシフト量が使用されていることを特徴とする請求項３に記載の基地局。
【請求項５】
前記受信部において受信した送信信号に含まれたパイロットチャネルでは、パイロットチャネルに使用されるカザック符号の末尾を含む所定長の一連の部分が前記カザック符号の先頭に付加されていることを特徴とする請求項３または４に記載の基地局。
【請求項６】
前記受信部において受信した送信信号に含まれたパイロットチャネルでは、パイロットチャネルに使用されるカザック符号の先頭を含む所定長の一連の部分が前記カザック符号の末尾に付加されていることを特徴とする請求項３または４に記載の基地局。
【請求項７】
前記受信部において受信した送信信号には、符号拡散されたデータチャネルであって、かつ所定の帯域の中で一定間隔に並んだ複数の周波数成分へマッピングされたデータチャネルも含まれていることを特徴とする請求項１から６のいずれかに記載の基地局。
【請求項８】
所定の帯域の中で一定間隔に並んだ複数の周波数成分へマッピングされたパイロットチャネルが含まれた送信信号を移動局から受信するステップと、
受信した送信信号を処理するステップとを備え、
前記受信するステップにおいて受信した送信信号では、当該送信信号に含まれるパイロットチャネルと、別の移動局の送信信号に含まれるパイロットチャネルとが周波数軸上で直交するように、前記パイロットチャネルが前記複数の周波数成分へマッピングされていることを特徴とする受信方法。
【請求項９】
前記受信するステップにおいて受信した送信信号に含まれたパイロットチャネルは、カザック符号より生成されていることを特徴とする請求項８に記載の受信方法。
【請求項１０】
前記受信するステップにおいて受信した送信信号に含まれたパイロットチャネルでは、パイロットチャネルに使用されるカザック符号が循環的に所定長だけシフトされていることを特徴とする請求項８または９に記載の受信方法。
【請求項１１】
前記受信するステップにおいて受信した送信信号に含まれたパイロットチャネルでは、移動局ごとに異なったシフト量が使用されていることを特徴とする請求項１０に記載の受信方法。
【請求項１２】
前記受信するステップにおいて受信した送信信号に含まれたパイロットチャネルでは、パイロットチャネルに使用されるカザック符号の末尾を含む所定長の一連の部分が前記カザック符号の先頭に付加されていることを特徴とする請求項１０または１１に記載の受信方法。
【請求項１３】
前記受信するステップにおいて受信した送信信号に含まれたパイロットチャネルでは、パイロットチャネルに使用されるカザック符号の先頭を含む所定長の一連の部分が前記カザック符号の末尾に付加されていることを特徴とする請求項１０または１１に記載の受信方法。
【請求項１４】
前記受信するステップにおいて受信した送信信号には、符号拡散されたデータチャネルであって、かつ所定の帯域の中で一定間隔に並んだ複数の周波数成分へマッピングされたデータチャネルも含まれていることを特徴とする請求項８から１３のいずれかに記載の受信方法。
【手続補正書】
【提出日】平成22年8月9日(2010.8.9)
【手続補正１】
【補正対象書類名】明細書
【補正対象項目名】発明の名称
【補正方法】変更
【補正の内容】
【発明の名称】基地局及び受信方法
【手続補正２】
【補正対象書類名】明細書
【補正対象項目名】００３３
【補正方法】変更
【補正の内容】
【００３３】
本基地局は、
複数のサブキャリアが含まれたシステム帯域のうちの少なくとも一部の部分帯域において、一定間隔で離散的に選択したサブキャリアにマッピングされたパイロット信号を移動局から受信する受信部と、
前記受信部において受信したパイロット信号を処理する処理部と、
前記受信部において受信すべきパイロット信号の送信元になる移動局に対して、部分帯域を設定させるために周波数および帯域幅を指定する指示部と、
を備える。
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】変更
【補正の内容】
【００３５】
本受信方法は、
複数のサブキャリアが含まれたシステム帯域のうちの少なくとも一部の部分帯域において、一定間隔で離散的に選択したサブキャリアにマッピングされたパイロット信号を移動局から受信するステップと、
受信したパイロット信号を処理するステップと、
受信すべきパイロット信号の送信元になる移動局に対して、部分帯域を設定させるために周波数および帯域幅を指定するステップと、
を備える。
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
複数のサブキャリアが含まれたシステム帯域のうちの少なくとも一部の部分帯域において、一定間隔で離散的に選択したサブキャリアにマッピングされたパイロット信号を移動局から受信する受信部と、
前記受信部において受信したパイロット信号を処理する処理部と、
前記受信部において受信すべきパイロット信号の送信元になる移動局に対して、部分帯域を設定させるために周波数および帯域幅を指定する指示部と、
を備えることを特徴とする基地局。
【請求項２】
前記受信部において受信したパイロット信号には、周波数ホッピング方式によるマッピングがなされていることを特徴とする請求項１に記載の基地局。
【請求項３】
前記受信部において受信したパイロット信号には、送信電力制御がなされていることを特徴とする請求項１または２に記載の基地局。
【請求項４】
前記受信部において受信したパイロット信号には、パイロット信号の帯域幅に応じた送信電力制御がなされていることを特徴とする請求項３に記載の基地局。
【請求項５】
複数のサブキャリアが含まれたシステム帯域のうちの少なくとも一部の部分帯域において、一定間隔で離散的に選択したサブキャリアにマッピングされたパイロット信号を移動局から受信するステップと、
受信したパイロット信号を処理するステップと、
受信すべきパイロット信号の送信元になる移動局に対して、部分帯域を設定させるために周波数および帯域幅を指定するステップと、
を備えることを特徴とする受信方法。
【請求項６】
前記受信するステップにおいて受信したパイロット信号には、周波数ホッピング方式によるマッピングがなされていることを特徴とする請求項５に記載の受信方法。
【請求項７】
前記受信するステップにおいて受信したパイロット信号には、送信電力制御がなされていることを特徴とする請求項５または６に記載の受信方法。
【請求項８】
前記受信するステップにおいて受信したパイロット信号には、パイロット信号の帯域幅に応じた送信電力制御がなされていることを特徴とする請求項７に記載の受信方法。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
光電変換素子と、
前記光電変換素子で生成された電荷に基づく信号を出力する画素増幅部と、
前記画素増幅部の入力部をリセットするリセットスイッチと、
前記光電変換素子で生成された電荷を前記画素増幅部の入力部に転送するための転送スイッチと、
を各々が有する、行列状に配列された複数の画素と、
同一の列に設けられた複数の前記画素から出力された信号を伝達する、それぞれが前記列に対応して設けられた複数の信号線と、
前記複数の信号線の各々に対応して設けられた複数の処理回路と、を有し、
前記複数の処理回路の各々は、
前記信号線に第１の電極が接続された第１の容量素子と、
第１の入力端子が、前記第１の容量素子の第２の電極に接続された増幅器と、
前記増幅器の前記第１の入力端子と出力端子との間に設けられた第２の容量素子と、
前記増幅器の前記第１の入力端子と前記出力端子との間の導通または非導通を切り替える第１のスイッチと、
前記増幅器からの信号を第１の電極に受けて保持し、該第１の電極から前記保持した信号を出力する第３の容量素子と、
を有し、
前記第１のスイッチは、前記リセットスイッチがオフになった後にオフになり、
前記転送スイッチは、前記第１のスイッチがオフになった後にオンになること、
を特徴とする撮像装置。
【請求項２】
前記増幅器は、ゲインが可変であることを特徴とする請求項１に記載の撮像装置。
【請求項３】
前記増幅器は、前記増幅回路を動作状態または非動作状態に切り替える切り替えスイッチを有することを特徴とする請求項１または２に記載の撮像装置。
【請求項４】
前記増幅器は、差動増幅器を含むことを特徴とする請求項１ないし３のいずれかに記載の撮像装置。
【請求項５】
前記差動増幅器は、１段の差動増幅器であることを特徴とする請求項４に記載の撮像装置。
【請求項６】
請求項１ないし５のいずれかに記載の撮像装置であって、
前記増幅器の出力端子と前記第３の容量素子の第１の電極との間の導通または非導通を切り替える第２のスイッチを有し、
前記画素の各々は、前記画素増幅部の出力端子と前記信号線との間の導通または非導通を切り替える行選択スイッチを有し、
前記第１のスイッチは、前記行選択スイッチがオンになった後にオフになり、
前記転送スイッチは、前記第１のスイッチがオフになった後にオフになり、
前記第２のスイッチは、前記転送スイッチがオフになった後にオフになること
を特徴とする撮像装置。
【請求項７】
請求項１ないし６のいずれかに記載の撮像装置と、
前記複数の画素に像を結像するレンズと、
前記複数の画素から読み出された信号をＡ／Ｄ変換するＡ／Ｄ変換器と、
前記Ａ／Ｄ変換器でＡ／Ｄ変換された信号を、メモリに記憶するように制御する制御部と、
を有することを特徴とする撮像システム。
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
無線メッシュ・ネットワークにおいて送信元ノードと送信先ノードとの間のノードが経路を選択する方法であって、
前記送信元ノードと前記送信先ノードとの間で前記経路を設定するステップであって、前記送信元ノードと前記送信先ノードとの間で設定される前記経路が、メッシュ・オンデマンド型ルーティングとプロアクティブ型メッシュ・ルーティングとのハイブリッド型のルーティングに基づいて設定される、前記ステップ
を含み、
前記ハイブリッド型のメッシュ・オンデマンド型ルーティングは、
前記ノードにより、要求メッセージを受信するステップと、
前記ノードにより、前記要求メッセージが前記送信元ノードからの第１の要求メッセージであるか否かを判定する第１の判定ステップと、
前記第１の判定ステップに応答して、前記要求メッセージにおけるメトリックを更新し、前記ノードのルーティング・テーブルにおける前記送信元ノードへの逆経路を設定するステップと、
前記ノードにより、ａ）当該ノードが前記送信先ノードであるか、さらに、ｂ）当該ノードが、前記ルーティング・テーブルにおける、前記送信先ノードへの期限切れしていない有効な経路を保持しているか否かを判定する第２の判定ステップと、
前記第２の判定ステップに応答して、前記送信元ノードに応答メッセージをユニキャストで返信することおよび前記更新されたメトリックで前記要求メッセージを伝播することの一方を実行する第１の実行ステップと、
前記第１の判定ステップに応答して、前記ルーティング・テーブルにおける前記メトリックと、前記更新されたメトリックとを比較するステップと、
前記比較するステップに応答して、前記逆経路を更新するステップと、
前記第２の更新するステップに応答して、前記送信元ノードに経路応答メッセージをユニキャストで返信することおよび前記更新された逆経路を用いて前記要求メッセージを伝播することの一方を実行する第２の実行ステップと、
を含む、前記方法。
【請求項２】
非転送メッシュ・ノードをサポートするステップであって、前記非転送メッシュ・ノードが送信元ノードおよび送信先ノードの一方である、当該ステップをさらに含む、請求項１に記載の方法。
【請求項３】
前記非転送メッシュ・ノードがデータ・パケットの送信を必要とする場合、前記非転送メッシュ・ノードは、経路要求メッセージを送信する、請求項２に記載の方法。
【請求項４】
前記非転送メッシュ・ノードが前記送信先ノードである場合のみ、前記非転送メッシュ・ノードは、経路要求メッセージに応答する、請求項２に記載の方法。
【請求項５】
前記非転送メッシュ・ノードが前記送信先ノードでない場合、前記非転送メッシュ・ノードは、経路要求メッセージに応答しない、請求項２に記載の方法。
【請求項６】
前記非転送メッシュ・ノードは、経路アナウンスメント・メッセージの発信者への前記経路を知るために、当該経路アナウンスメント・メッセージを受信する、請求項２に記載の方法。
【請求項７】
前記非転送メッシュ・ノードは、受信したルーティング制御メッセージを隣接ノードに転送しない、請求項２に記載の方法。
【請求項８】
無線メッシュ・ネットワークにおいて送信元ノードと送信先ノードとの間のノードが経路を選択する装置であって、
前記送信元ノードと前記送信先ノードとの間で前記経路を設定する手段であって、前記送信元ノードと前記送信先ノードとの間で設定される前記経路が、メッシュ・オンデマンド型ルーティングとプロアクティブ型メッシュ・ルーティングとのハイブリッド型のルーティングに基づいて設定される、前記手段
を含み、
前記ハイブリッド型のメッシュ・オンデマンド型ルーティングは、
前記ノードにより、要求メッセージを受信する手段と、
前記ノードにより、前記要求メッセージが前記送信元ノードからの第１の要求メッセージであるか否かを判定する第１の判定手段と、
前記第１の判定動作に応答して、前記要求メッセージにおけるメトリックを更新し、前記ノードのルーティング・テーブルにおける前記送信元ノードへの逆経路を設定する手段と、
前記ノードにより、ａ）当該ノードが前記送信先ノードであるか、さらに、ｂ）当該ノードが、前記ルーティング・テーブルにおける、前記送信先ノードへの期限切れしていない有効な経路を保持しているか否かを判定する第２の判定手段と、
前記第２の判定動作に応答して、前記送信元ノードに応答メッセージをユニキャストで返信することおよび前記更新されたメトリックで前記要求メッセージを伝播することの一方を実行する第１の実行手段と、
前記第１の判定動作に応答して、前記ルーティング・テーブルにおける前記メトリックと、前記更新されたメトリックとを比較する手段と、
前記比較する動作に応答して、前記逆経路を更新する手段と、
前記第２の更新する動作に応答して、前記送信元ノードに経路応答メッセージをユニキャストで返信することおよび前記更新された逆経路を用いて前記要求メッセージを伝播することの一方を実行する第２の実行手段と、
を含む、前記装置。
【請求項９】
非転送メッシュ・ノードをサポートする手段であって、前記非転送メッシュ・ノードが送信元ノードおよび送信先ノードの一方である、当該手段をさらに含む、請求項８に記載の装置。
【請求項１０】
前記非転送メッシュ・ノードがデータ・パケットの送信を必要とする場合、前記非転送メッシュ・ノードは、経路要求メッセージを送信する、請求項９に記載の装置。
【請求項１１】
前記非転送メッシュ・ノードが前記送信先ノードである場合のみ、前記非転送メッシュ・ノードは、経路要求メッセージに応答する、請求項９に記載の装置。
【請求項１２】
前記非転送メッシュ・ノードが前記送信先ノードでない場合、前記非転送メッシュ・ノードは、経路要求メッセージに応答しない、請求項９に記載の装置。
【請求項１３】
前記非転送メッシュ・ノードは、経路アナウンスメント・メッセージの発信者への前記経路を知るために、当該経路アナウンスメント・メッセージを受信する、請求項９に記載の装置。
【請求項１４】
前記非転送メッシュ・ノードは、受信したルーティング制御メッセージを隣接ノードに転送しない、請求項９に記載の装置。
【手続補正書】
【提出日】平成22年8月9日(2010.8.9)
【手続補正１】
【補正対象書類名】明細書
【補正対象項目名】発明の名称
【補正方法】変更
【補正の内容】
【発明の名称】基地局及び受信方法
【手続補正２】
【補正対象書類名】明細書
【補正対象項目名】０００９
【補正方法】変更
【補正の内容】
【０００９】
一実施例では、上りリンクにシングルキャリア方式を採用する移動通信システムで使用される基地局が使用される。本基地局は、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルを割り当てるスケジューラと、
前記スケジューラが割り当てた第１帯域あるいは第２帯域において、上り制御チャネルを受信する受信部とを備え、
前記スケジューラは、複数のリソースブロックのうちの少なくともひとつに上りデータチャネルを割り当て、
前記受信部は、前記スケジューラが割り当てたリソースブロックにおいて上りデータチャネルを受信することを特徴とする基地局である。
【手続補正３】
【補正対象書類名】特許請求の範囲
【補正対象項目名】全文
【補正方法】変更
【補正の内容】
【特許請求の範囲】
【請求項１】
上りリンクにシングルキャリア方式を採用する移動通信システムで使用される基地局であって、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルを割り当てるスケジューラと、
前記スケジューラが割り当てた第１帯域あるいは第２帯域において、上り制御チャネルを受信する受信部とを備え、
前記スケジューラは、複数のリソースブロックのうちの少なくともひとつに上りデータチャネルを割り当て、
前記受信部は、前記スケジューラが割り当てたリソースブロックにおいて上りデータチャネルを受信することを特徴とする基地局。
【請求項２】
前記受信部は、同一のユーザ装置から、上りデータチャネルと同時に上り制御チャネルを受信しないことを特徴とする請求項１に記載の基地局。
【請求項３】
前記受信部が上りデータチャネルを受信する場合に、ユーザ装置において制御情報が存在すれば、当該制御情報は上りデータチャネルに含まれ、前記受信部が上りデータチャネルをマッピングしない場合に、ユーザ装置において制御信号が存在すれば、当該制御情報は上り制御チャネルに含まれることを特徴とする請求項２に記載の基地局。
【請求項４】
時間軸上に複数のサブフレームが繰り返されるとともに、各サブフレームはふたつの細分期間に分割されており、
前記受信部は、同一のユーザ装置から、ふたつの細分期間の一方において、第１帯域にて上り制御チャネルを受信し、他方において、第２帯域にて上り制御チャネルを受信することを特徴とする請求項１から３のいずれかに記載の基地局。
【請求項５】
前記受信部において受信される上り制御チャネルには、符号多重のための処理がなされていることを特徴とする請求項１から４のいずれかに記載の基地局。
【請求項６】
上りリンクにシングルキャリア方式を採用する移動通信システムの基地局で使用される受信方法であって、
上りリンクのシステム帯域の低周波数側に第１帯域が配置され、高周波数側に第２帯域が配置されるとともに、第１帯域と第２帯域との間に複数のリソースブロックが配置されており、第１帯域あるいは第２帯域に上り制御チャネルを割り当てるステップと、
第１帯域あるいは第２帯域において、上り制御チャネルを受信するステップとを備え、
前記割り当てるステップは、複数のリソースブロックのうちの少なくともひとつに上りデータチャネルを割り当て、
前記受信するステップは、リソースブロックにおいて上りデータチャネルを受信することを特徴とする受信方法。
【請求項７】
前記受信するステップは、同一のユーザ装置から、上りデータチャネルと同時に上り制御チャネルを受信しないことを特徴とする請求項６に記載の受信方法。
【請求項８】
前記受信するステップが上りデータチャネルを受信する場合に、ユーザ装置において制御情報が存在すれば、当該制御情報は上りデータチャネルに含まれ、前記受信するステップが上りデータチャネルをマッピングしない場合に、ユーザ装置において制御信号が存在すれば、当該制御情報は上り制御チャネルに含まれることを特徴とする請求項７に記載の受信方法。
【請求項９】
時間軸上に複数のサブフレームが繰り返されるとともに、各サブフレームはふたつの細分期間に分割されており、
前記受信するステップは、同一のユーザ装置から、ふたつの細分期間の一方において、第１帯域にて上り制御チャネルを受信し、他方において、第２帯域にて上り制御チャネルを受信することを特徴とする請求項６から８のいずれかに記載の受信方法。
【請求項１０】
前記受信するステップにおいて受信される上り制御チャネルには、符号多重のための処理がなされていることを特徴とする請求項６から９のいずれかに記載の受信方法。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
操作部を備えた第１筐体と、
表示部を備えた第２筐体と、
前記第１筐体と前記第２筐体とを回動可能に連結する連結部と、を備えた携帯端末において、
前記連結部は、前記第１筐体に連結されて第１回動軸を中心に前記第１筐体に対して回動する第１回動部材と、前記第２筐体の短手方向端部に連結されて前記第１回動軸と直交する第２回動軸を中心に前記第２筐体に対して回動する第２回動部材とからなり、
前記第１筐体において、
前記連結部が連結される端部の側面に向かって連続的な面で凸部が形成され、
該凸部は、前記第１筐体の厚み方向において、前記操作部面より低い面で形成されることを特徴とする携帯端末。
【請求項２】
前記凸部は、前記第１筐体の厚み方向において、前記操作部面より傾斜面を介して段差面で形成され、
前記第１筐体と前記第２筐体が重なった状態において、前記第２回動軸部材の一部は、前記段差面と重なり、収容されることを特徴とする請求項１に記載の携帯端末。
【請求項３】
前記連結部は、前記第１筐体および前記第２筐体を閉じ状態から開放させるために前記第１回転軸部材の一端側に開放操作部を備え、
前記凸部が、前記開放操作部と反対側に設けられていることを特徴とする請求項１または２に記載の携帯端末。
【請求項４】
前記凸部に、ストラップ穴を構成したことを特徴とする請求項１または２に記載の携帯端末。
【請求項５】
前記段差面には、前記第１筐体を構成する２つのケースを固定するビスが配置されるとともに、前記ビスに樹脂カバーを積層して覆うよう構成したことを特徴とする請求項２に記載の携帯端末。
【手続補正２】
【補正対象書類名】明細書
【補正対象項目名】００１０
【補正方法】変更
【補正の内容】
【００１０】
本発明の携帯端末は、操作部を備えた第１筐体と、表示部を備えた第２筐体と、前記第１筐体と前記第２筐体とを回動可能に連結する連結部と、を備えた携帯端末において、前記連結部は、前記第１筐体に連結されて第１回動軸を中心に前記第１筐体に対して回動する第１回動部材と、前記第２筐体の短手方向端部に連結されて前記第１回動軸と直交する第２回動軸を中心に前記第２筐体に対して回動する第２回動部材とからなり、前記第１筐体において、前記連結部が連結される端部の側面に向かって連続的な面で凸部が形成され、該凸部は、前記第１筐体の厚み方向において、前記操作部面より低い面で形成されることを特徴とする。
【手続補正３】
【補正対象書類名】明細書
【補正対象項目名】００１２
【補正方法】変更
【補正の内容】
【００１２】
また、本発明は、前記凸部は、前記第１筐体の厚み方向において、前記操作部面より傾斜面を介して段差面で形成され、前記第１筐体と前記第２筐体が重なった状態において、前記第２回動軸部材の一部は、前記段差面と重なり、収容されることを特徴とする。
【手続補正４】
【補正対象書類名】明細書
【補正対象項目名】００１４
【補正方法】変更
【補正の内容】
【００１４】
さらに、本発明は、前記連結部は、前記第１筐体および前記第２筐体を閉じ状態から開放させるために前記第１回転軸部材の一端側に開放操作部を備え、前記凸部が、前記開放操作部と反対側に設けられていることを特徴とする。
【手続補正５】
【補正対象書類名】明細書
【補正対象項目名】００１６
【補正方法】変更
【補正の内容】
【００１６】
また、本発明は、前記凸部に、ストラップ穴を構成したことを特徴とする。
【手続補正６】
【補正対象書類名】明細書
【補正対象項目名】００１８
【補正方法】変更
【補正の内容】
【００１８】
さらに、本発明は、前記段差面には、前記第１筐体を構成する２つのケースを固定するビスが配置されるとともに、前記ビスに樹脂カバーを積層して覆うよう構成したことを特徴とする。
【手続補正書】
【提出日】平成22年4月27日(2010.4.27)
【手続補正１】
【補正対象書類名】特許請求の範囲
【補正対象項目名】請求項１
【補正方法】変更
【補正の内容】
【請求項１】
遊技球を用いて所定の遊技を行うことが可能な遊技機であって、
遊技球が進入可能な開放状態と遊技球が進入不可能な閉鎖状態とに変化可能な可変入賞装置と、
所定の開放条件が成立したときに前記可変入賞装置を閉鎖状態から開放状態に変化させる可変入賞装置制御手段と、
前記可変入賞装置に進入した遊技球を検出して入賞検出信号を出力する入賞検出手段と、
前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、
当該遊技機において前記異常入賞と異なる所定の異常状態が発生したか否かを判定する異常状態判定手段と、
前記異常入賞判定手段によって異常入賞が発生したと判定されたことまたは前記異常状態判定手段によって所定の異常状態が発生したと判定されたことにもとづいて、当該遊技機の外部に所定の異常信号を出力するための外部出力手段とを備え、
前記外部出力手段は、前記異常入賞判定手段によって異常入賞が発生したと判定されたときと前記異常状態判定手段によって所定の異常状態が発生したと判定されたときとで、当該遊技機に設けられた共通の出力端子から前記所定の異常信号を出力可能とした
ことを特徴とする遊技機。
【手続補正２】
【補正対象書類名】明細書
【補正対象項目名】０００８
【補正方法】変更
【補正の内容】
【０００８】
そこで、本発明は、異常入賞の発生および遊技機の状態異常の発生など複数の異常が発生したことを外部に出力できるとともに、外部に情報を出力するための機構の部品数の増加や配線作業の複雑化を防ぐことができる遊技機を提供することを目的とする。
【手続補正３】
【補正対象書類名】明細書
【補正対象項目名】０００９
【補正方法】変更
【補正の内容】
【０００９】
本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、可変入賞装置制御手段によって可変入賞装置が開放状態に制御されていないときに、入賞検出手段が入賞検出信号を出力したことにもとづいて、異常入賞が発生したと判定する異常入賞判定手段（例えば、遊技制御用マイクロコンピュータ５６０におけるステップＳ２５５〜Ｓ２５９，Ｓ２６３を実行する部分。ステップＳ２６７〜Ｓ２７１，Ｓ２７５を実行する部分）と、遊技機において異常入賞と異なる所定の異常状態（例えば、磁気異常、振動異常、異常開放）が発生したか否かを判定する異常状態判定手段（例えば、遊技制御用マイクロコンピュータ５６０におけるステップＳ２７９，Ｓ２８２，Ｓ２８５，Ｓ２８６，Ｓ２８９を実行する部分）と、異常入賞判定手段によって異常入賞が発生したと判定されたことまたは異常状態判定手段によって所定の異常状態が発生したと判定されたことにもとづいて、遊技機の外部に所定の異常信号を出力するための外部出力手段（例えば、遊技制御用マイクロコンピュータ５６０におけるステップＳ２６４，Ｓ２７６，２８１，Ｓ２８４，Ｓ２８８，Ｓ２９１，Ｓ１０６９〜Ｓ１０７４，Ｓ１１０２，Ｓ１１０３を実行する部分）とを備え、外部出力手段は、異常入賞判定手段によって異常入賞が発生したと判定されたときと異常状態判定手段によって所定の異常状態が発生したと判定されたときとで、遊技機に設けられた共通の出力端子から所定の異常信号を出力可能とした（例えば、遊技制御用マイクロコンピュータ５６０は、情報端子盤３４の共通のコネクタＣＮ９を用いて異常信号をホールコンピュータに出力する）ことを特徴とする。
【手続補正４】
【補正対象書類名】明細書
【補正対象項目名】００１５
【補正方法】変更
【補正の内容】
【００１５】
請求項１に記載された遊技機では、異常入賞判定手段によって異常入賞が発生したと判定されたことまたは異常状態判定手段によって所定の異常状態が発生したと判定されたことにもとづいて、遊技機の外部に所定の異常信号を出力するための外部出力手段を備えるように構成されているので、異常入賞が発生したことおよび遊技機において所定の異常状態が発生したことなど複数の異常が発生したことを示す情報を外部に出力することができる。また、外部出力手段が、異常入賞判定手段によって異常入賞が発生したと判定されたときと異常状態判定手段によって所定の異常状態が発生したと判定されたときとで、遊技機に設けられた共通の出力端子から所定の異常信号を出力可能とするように構成されているので、外部に情報を出力するための機構の部品数の増加や配線作業の複雑化を防ぐことができる。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備えるとともに、遊技価値の投入と遊技者の始動操作とに応じて当該複数の可動表示体の回転が開始されたのち、遊技者の停止操作に応じて当該複数の可動表示体に付された図柄帯上の図柄が図柄表示部に停止表示され、当該図柄表示部に停止表示される所定個数分の図柄群を１回のゲームの結果として表示する遊技機であって、
１回のゲームごとに、予め決められた複数の当選役及びハズレ役の中からいずれかを選び出す内部抽選を行う内部抽選手段と、
前記可動表示体の回転を個々に停止させるべく個々の前記可動表示体について前記停止操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部内に表示された所定個数分の図柄群を前記複数の可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
前記表示図柄判定手段により前記有効表示位置に前記当選役に対応する図柄の組み合わせが表示されたと判定された場合、当該当選役に対応する遊技価値を賞として付与する遊技価値付与手段と、
遊技の進行に応じて遊技状態を制御する遊技制御手段と、
所定の演出態様を表示可能な演出表示装置と、
前記演出表示装置における演出態様として、当該演出表示装置のほぼ全域を占める主画像を少なくとも表示可能な演出制御手段と、
を備え、
前記遊技制御手段は、
常には、所定期間に消費される遊技価値の総数が相対的に多い通常遊技状態に遊技状態を制御する通常遊技制御手段と、
前記通常遊技状態に制御されているときに、１回のゲームの結果として前記図柄表示部に前記特別当選役に対応する図柄の組み合わせが表示された場合、所定条件が成立するまで遊技価値の付与される機会を増加させた特別遊技状態を第１の特典として付与する特別遊技付与手段と、
前記通常遊技状態に制御されているときに、当該通常遊技状態におけるゲームの実行回数が増加するのに伴って、所定期間に消費される遊技価値の総数が相対的に少ない有利遊技状態を第２の特典として付与可能な有利遊技付与手段と、を有しており、
前記演出制御手段は、
前記通常遊技状態に制御されているときに、前記有利遊技状態へ移行する度合いに応じて各々異なる期待度を示す複数の前記主画像の何れかを前記演出表示装置に表示するものであって、遊技の進行に伴って相対的に大きくなる前記有利遊技状態への移行の期待度と略対応するように、前記演出表示装置における当該主画像を表示する
ことを特徴とする遊技機。
【請求項２】
前記遊技制御手段は、
前記特別遊技状態が実行されたのちに、前記有利遊技状態へ移行する期待度が相対的に大きく、所定期間に消費される遊技価値の総数が前記通常遊技状態よりも多く且つ前記有利遊技状態よりも少ない特定遊技状態に遊技状態を制御する特定遊技制御手段と、さらに有しており、
前記演出制御手段は、
前記特定遊技状態に制御されているときに、複数の前記主画像のうちで、前記有利遊技状態へ移行する期待度が相対的に大きいことを示す前記主画像を表示する
請求項１に記載の遊技機。
【請求項３】
前記遊技制御手段は、
前記有利遊技付与手段によって付与される前記有利遊技状態が終了したのちは、前記通常遊技制御手段によって遊技状態を前記通常遊技状態に制御させるとともに、当該通常遊技状態を前記有利遊技状態へ移行する期待度が相対的に大きい状態に制御し、
前記演出制御手段は、
前記有利遊技状態が終了して前記通常遊技状態に制御される際には、複数の前記主画像のうちで、前記有利遊技状態へ移行する期待度が相対的に大きいことを示す前記主画像を表示する
請求項１または２に記載の遊技機。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備えるとともに、遊技価値の投入と遊技者の始動操作に応じて当該複数の可動表示体の変動が開始されたのち、遊技者の停止操作に応じて当該複数の可動表示体に付された図柄帯上の図柄が図柄表示部に停止表示され、当該図柄表示部に停止表示される所定個数分の図柄群を１回のゲームの結果として表示する遊技機であって、
１回のゲームごとに、予め決められた複数の当選役及びハズレ役の中からいずれかを選び出す内部抽選を行う内部抽選手段と、
前記可動表示体の回転を個々に停止させるべく個々の前記可動表示体について前記停止操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部内に表示された所定個数分の図柄群を前記複数の可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
前記表示図柄判定手段により前記有効表示位置に前記当選役に対応する図柄の組み合わせが表示されたと判定された場合、当該当選役に対応する遊技価値を賞として付与する遊技価値付与手段と、
遊技の進行に応じて遊技状態を制御する遊技制御手段と、
所定の演出態様を表示可能な演出表示装置と、
前記演出表示装置における演出態様として、当該演出表示装置のほぼ全域を占める主画像を少なくとも表示可能な演出制御手段と、
を備え、
前記遊技制御手段は、
常には、所定期間に消費される遊技価値の総数が相対的に多い通常遊技状態に遊技状態を制御する通常遊技制御手段と、
前記通常遊技状態に制御されているときに、１回のゲームの結果として前記図柄表示部に特別当選役に対応する図柄の組み合わせが表示された場合、所定条件が成立するまで遊技価値の付与される機会を増加させた特別遊技状態を第１の特典として付与する特別遊技付与手段と、
前記通常遊技状態に制御されているときに、当該通常遊技状態におけるゲームの実行回数が増加するのに伴って、所定期間に消費される遊技価値の総数が相対的に少ない有利遊技状態を第２の特典として付与可能な有利遊技付与手段と、を有しており、
前記演出制御手段は、
前記通常遊技状態に制御されているときに、遊技の進行に伴って相対的に高くなる前記有利遊技状態への移行の度合いに応じて各々異なる期待度を示す前記複数の主画像の何れかを所定タイミングで切り替えて表示する主画像切替手段と、
複数のゲームに亘って連続的に行なわれる連続演出を行なったのちに前記特別当選役への当選を導出する特別連続演出と、前記特別連続演出と同一または極似した連続演出を行なうにも拘らず前記特別当選役への当選を導出することなく終了する通常連続演出と、を実行可能な連続演出実行手段と、を備えており、
前記主画像切替手段は、前記連続演出実行手段により前記通常連続演出が行なわれた場合、前記所定タイミングとして当該通常連続演出が行なわれたのち、前記通常遊技状態における前記有利遊技状態への移行の度合いに基づいて前記主画像を切り替えて表示する
ことを特徴とする遊技機。
【請求項２】
前記複数の当選役は、前記内部抽選にて当選すると一の小役のみが成立する単独当選役と、前記内部抽選にて当選すると一の小役および特別当選役が共に成立する共有当選役と、を含み、
前記連続演出実行手段は、前記内部抽選において前記単独当選役に当選した場合、当該単独当選役への当選により成立する小役が前記共有当選役にも含まれうるものであるときに、１回のゲームで完結する単演出に代えて前記通常連続演出を実行可能である
請求項１に記載の遊技機。
【請求項３】
前記小役は、前記単独当選役に含まれる割合に比べて前記共有当選役に含まれる割合が高いほど前記特別遊技状態が実行される期待度が大きい一方、前記単独当選役に含まれる割合に比べて前記共有当選役に含まれる割合が低いほど前記特別遊技状態が実行される期待度が小さく、
前記連続演出実行手段は、前記内部抽選において前記単独当選役に当選した場合、前記特別遊技状態への期待度が各々異なる複数の前記小役のうちで、当該特別遊技状態への期待度が大きい小役ほど、１回のゲームで完結する単演出に代えて前記通常連続演出を実行する割合が高いものである
請求項２に記載の遊技機。
【手続補正書】
【提出日】平成22年8月9日(2010.8.9)
【手続補正１】
【補正対象書類名】明細書
【補正対象項目名】００３４
【補正方法】変更
【補正の内容】
【００３４】
次に図７〜図１０を参照して第２の実施形態に係るおむつ１について説明する。図７はおむつ１を平面に展開して表す平面図、図８は胴周弾性部材の伸長を開放した状態を表す平面図、図９および図１０は各々、パンツ型としたおむつ１を腹側シート部材２および背側シート部材３から見た摸式図である。
図７に示すように、この実施形態では体液吸収体５の湾曲部５２が、腹側シート部材２と重なり合う点が、第１の実施形態との主な相違点である。
【手続補正２】
【補正対象書類名】明細書
【補正対象項目名】００３９
【補正方法】変更
【補正の内容】
【００３９】
従って、図９に示すように、おむつ１を正面から見たとき、脚周り開口８はおむつ１のやや前方に向けて開口する。第１と第２の実施形態で同一形状の体液吸収体５を用いる場合を比較すると、第２の実施形態の方が境界Ｂ１における体液吸収体５の横方向長さが短いことにより、脚周り開口８はおむつ１のより前方に向けて開口し、着用者の脚によりフィットしやすい形状になる。
【手続補正３】
【補正対象書類名】明細書
【補正対象項目名】００４０
【補正方法】変更
【補正の内容】
【００４０】
また、図１０に摸式的に示すように、パンツ型としたおむつ１を背面から見たとき、第１の実施形態と同様に、体液吸収体５の背側平行部５４は腹側平行部５３より収縮量が小さいため、横方向の寸法が腹側平行部５３より大きくなり、着用者の臀部を広く覆うことができる。
【手続補正書】
【提出日】平成22年8月9日(2010.8.9)
【手続補正１】
【補正対象書類名】明細書
【補正対象項目名】０００２
【補正方法】変更
【補正の内容】
【０００２】
一般に使い捨ておむつは、着用者の胴周りと脚周りに当接する部分に沿って、ゴム紐等の胴周弾性部材と脚周弾性部材を有する構造となっている。例えば、特許文献１には、図７に示すように、予め脚周用弾性部材１２５が取り付けられた第１ウェブ１１５と、第２ウェブ１１６と、胴周弾性部材１２４とを機械方向へ供給する部材供給手段Ｓ−１、胴周弾性部材１２４を第１・第２ウェブ１１５，１１６に固着するとともに、第１・第２ウェブ１１５，１１６どうしを固着する複合ウェブ作製手段Ｓ−２、吸収コア１２８を有する吸収性パネル１０３を第１ウェブ１１５の一対の脚周用弾性部材１２５の間に固着するパネル固着手段Ｓ−３を含む使い捨ておむつの製造方法が開示されている。
【特許文献１】特開２００４−１８７８７３号公報（段落００２８〜００３５、図５）
【手続補正２】
【補正対象書類名】明細書
【補正対象項目名】００４４
【補正方法】変更
【補正の内容】
【００４４】
１      使い捨ておむつ
２      腹側ベルト
３      背側ベルト
４      吸収性パネル
５      吸収コア
７      胴周り開口
８      脚周り開口
９ａ    原反シート
９ｂ    原反シート
２０    腹側シート部材
２１    両腹側縁
２２    両背側縁
３０    背側シート部材
４１    股間部側縁
４２    股間部弾性部材
６１    腹側弾性部材
６２    背側弾性部材
Ｃ      仮想中心線
Ｍ      縦方向中心線
ＭＤ１  第１機械方向
Ｐ１    シート部材製造工程
Ｐ２    接合工程
Ｐ３    切断工程
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により予め決められた複数の当選役及びハズレ役の中からいずれかを選び出す内部抽選を行うとともに、複数の前記可動表示体の変動を開始させ、全ての前記可動表示体の停止操作が受け付けられると、前記図柄表示部に１回のゲームの結果を表示する遊技機であって、
前記可動表示体の回転を個々に停止させるべく個々の前記可動表示体について前記停止操作を受け付けることの可能な複数の停止操作手段と、
前記複数の停止操作手段にて停止操作が受けられると、前記停止操作の受け付けられた当該可動表示体ごとに前記内部抽選の結果に基づいて前記可動表示体の変動停止を制御する可動表示体停止制御手段と、
前記図柄表示部に表示される所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段とを備え、
前記複数の当選役は、
所定期間にて遊技価値の付与される機会を増加させた特別遊技状態に遊技状態を移行させる契機となる特別当選役と、
当該ゲームにて遊技価値の付与を伴う遊技特典に対応する付与役として、少なくとも、第１付与役と、第１付与役に比べて付与される遊技価値の総数の少ない遊技特典に対応する第２付与役と、第１付与役及び第２付与役に比べて付与される遊技価値の総数の少ない第３付与役とを有し、
前記内部抽選により、前記第１付与役、前記第２付与役、前記第３付与役、前記特別当選役のうちいずれかが選び出される場合、これらのうち一つを単独で選び出す単独付与役選出手段と、
前記内部抽選により、前記第１付与役、前記第２付与役、前記第３付与役、のうちいずれかが選び出される場合、前記特別当選役を共に選び出す共有付与役選出手段と、
前記内部抽選にて前記共有付与役選出手段により、
前記第１付与役及び前記特別当選役が共に選び出される割合を、前記第２付与役及び前記特別当選役が共に選び出される割合に比して高くし、
前記第２付与役及び前記特別当選役が共に選び出される割合を、前記第３付与役及び前記特別当選役が共に選び出される割合に比して高くする遊技価値増加比例当選割合向上手段と
をさらに備え、
前記遊技価値増加比例当選割合向上手段により、前記付与役は、その付与される遊技価値の総数が大きい付与役であるほど前記共有付与役選出手段により当該付与役と前記特別当選役が共に選び出されている割合が高くなる
ことを特徴とする遊技機。
【請求項２】
遊技機の外部に向けて複数の演出表示態様を表示するための表示手段と、前記表示手段による演出表示態様を前記内部抽選の当選結果に基づいて所定の演出表示態様を実行させる演出表示態様実行手段とをさらに備え、
前記演出表示態様実行手段は、
当該ゲームの結果が前記第１付与役、前記第２付与役、前記第３付与役である場合、当該付与役と共に前記特別当選役が選び出されている可能性が高い期待演出を実行させる期待演出実行手段を有し、
前記期待演出実行手段は、
当該付与役が前記第１付与役である場合、当該付与役と共に前記特別当選役が選び出されている可能性が最も高い高期待演出を実行し、
当該付与役が前記第２付与役である場合、当該付与役と共に前記特別当選役が選び出されている可能性が高い中期待演出を実行し、
当該付与役が前記第３付与役である場合、当該付与役と共に前記特別当選役が選び出されている可能性が少なからずある低期待演出を実行する
請求項１に記載の遊技機。
【請求項３】
当該ゲームにて付与される遊技価値の総数の最も少ない前記第３付与役と、当該ゲームにて付与される遊技価値の総数の最も多い前記第１付与役とにおける遊技価値の総数の差は少なくとも２倍以上である
請求項１または請求項２に記載の遊技機。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
空冷装置と、
ホールを管理するホールコンピュータと電気的に接続される外部端子板と、
前記空冷装置に電力を供給する電源基板が収納される電源基板ボックスと、
を備えるパチンコ遊技機であって、
前記電源基板ボックスは、少なくとも、その外周に、
当該電源基板ボックスの内部の空気を外部に吐き出したり又は外気を当該電源基板ボックスの内部に取り入れたりする複数の空気通風口
が形成され、
前記空冷装置は、前記電源基板ボックスを当該パチンコ遊技機から取り外すことなく、着脱自在に、当該電源基板ボックスの外周に形成された前記複数の空気通風口の一部を塞ぐように当該電源基板ボックスの外周に取り付け可能であり、かつ、前記電源基板から電力が供給されて当該空冷装置が稼動すると、当該空冷装置で塞がれている当該複数の空気通風口の一部を通して当該電源基板ボックスの内部の空気を取り込んで該取り込んだ空気を外部に排気するとともに該取り込んだ空気に引っ張られて当該空冷装置で塞がれていない当該複数の空気通風口を通して当該電源基板ボックスの内部に外気を取り入れたり、又は当該空冷装置で塞がれている当該複数の空気通風口の一部を通して当該電源基板ボックスの内部に外気を送り込んで該送り込んだ空気に押し出されて当該電源基板ボックスの内部の空気を当該空冷装置で塞がれていない当該複数の空気通風口を通して外部に排気したりする一方、前記電源基板から電力が供給されているにもかかわらず当該空冷装置が停止した状態となると、その旨を伝えるロック信号を、前記外部端子板を介して、前記ホールコンピュータに出力することを特徴とするパチンコ遊技機。
【請求項２】
請求項１に記載のパチンコ遊技機であって、
当該パチンコ遊技機は、さらに、
遊技演出を行う遊技演出表示装置と、
遊技の進行を制御するとともに所定の条件が成立した際に遊技者に賞球として遊技球の払い出しを制御する主マイクロプロセッサが実装され、かつ、前記空冷装置からのロック信号が入力される主基板と、
該主基板からのコマンドに基づいて前記遊技演出表示装置を制御する周辺マイクロプロセッサが実装される周辺基板と、
を備え、
前記電源基板は、少なくとも、
前記主マイクロプロセッサに内蔵されるＲＡＭにバックアップ電源を供給するキャパシタ
を備え、当該電源基板が前記遊技演出表示装置、前記主基板及び前記周辺基板にそれぞれ電力をさらに供給し、
前記周辺マイクロプロセッサは、少なくとも、
前記空冷装置からのロック信号が入力されている旨を伝えるコマンドを前記主基板から受信すると、当該空冷装置が異常である旨を伝える報知態様に前記遊技演出表示装置を制御する空冷装置異常報知制御手段
を備えていることを特徴とするパチンコ遊技機。
【請求項３】
請求項２に記載のパチンコ遊技機であって、
当該パチンコ遊技機は、さらに、
遊技の進行を点灯又は点滅によって遊技者に報知する遊技進行発光手段
を備え、
前記遊技演出表示装置は、少なくとも、
遊技の進行を画像として描画する液晶表示器と、
点灯、点滅又は階調点灯する演出発光手段と、
を備え、
前記主マイクロプロセッサは、少なくとも、
前記空冷装置からのロック信号が入力されているか否かにかかわらず、遊技の進行に従って前記遊技進行発光手段を点灯又は点滅させる点灯点滅制御手段
を備え、
前記周辺マイクロプロセッサは、さらに、
前記空冷装置からロック信号が入力されている旨を伝えるコマンドを受信したか否かにかかわらず、前記液晶表示器の描画制御を行う描画制御手段
を備え、
前記空冷装置異常報知制御手段は、前記報知態様として前記演出発光手段のみを全消灯することを特徴とするパチンコ遊技機。
【手続補正２】
【補正対象書類名】明細書
【補正対象項目名】００２９
【補正方法】変更
【補正の内容】
【００２９】
本発明の請求項１においては、空冷ファンの回転が停止した状態を的確に把握することができる。請求項２においては、バックアップ電源を断つことなく空冷装置を交換することができる。請求項３においては、空冷装置が停止した状態でも電源基板の発熱量を抑えることができるため、発熱による電源基板の故障を防止することができる。更に、遊技の進行を報知する遊技進行発光手段と、遊技の進行を画像として描画する液晶表示器と、の電力供給が断たれることがないため、空冷装置が停止した状態となっても、遊技者に遊技の進行が見にくくならず、遊技者は遊技を続行することができる。